(57)【要約】【課題】使用者の集中度を高め、知的生産性を向上する照明システムを提供する。【解決手段】照明システム１は、作業エリアを照射するタスク照明装置２０と、作業エリアと周辺部とを含む空間を照射するアンビエント照明装置１０と、タスク照明装置２０およびアンビエント照明装置１０の少なくともいずれかを制御する制御部３０とを有し、制御部３０は、作業エリアの照度が周辺部の照度より高く、かつ、周辺部の色温度と作業エリアの色温度との差が小さくなるように、タスク照明装置２０およびアンビエント照明装置１０の少なくともいずれかを制御する。【選択図】図３
2015022945.tif 000002
【特許請求の範囲】
【請求項１】
作業対象物を中心とする作業エリアと前記作業エリアの周辺部とが存在する照明環境をもち、
前記作業エリアを照射するタスク照明装置と、
前記作業エリアと前記周辺部とを含む空間を照射するアンビエント照明装置と、
前記タスク照明装置および前記アンビエント照明装置の少なくともいずれかを制御する制御部とを有し、
前記制御部は、
前記作業エリアの照度が前記周辺部の照度より高く、かつ、前記周辺部の色温度と前記作業エリアの色温度との差が小さくなるように、前記タスク照明装置および前記アンビエント照明装置の少なくともいずれかを制御する
照明システム。
【請求項２】
前記制御部は、
前記周辺部の色温度の変化に追随して、前記周辺部の色温度と前記作業エリアの色温度との差が小さくなるように、前記タスク照明装置を制御して前記作業エリアの色温度を変更する
請求項１に記載の照明システム。
【請求項３】
前記制御部は、
前記作業エリアの色温度の変化に追随して、前記周辺部の色温度と前記作業エリアの色温度との差が小さくなるように、前記アンビエントの照明装置を制御して前記周辺部の色温度を変更する
請求項１に記載の照明システム。
【請求項４】
前記制御部は、
前記周辺部の色温度と前記作業エリアの色温度が２０００Ｋ以上異なる際、前記作業エリアの色温度と前記周辺部の色温度との差が２０００Ｋ未満となるように、前記タスク照明装置を制御して前記作業エリアの色温度を変更する
請求項２に記載の照明システム。
【請求項５】
前記制御部は、
前記周辺部の色温度と前記作業エリアの色温度が２０００Ｋ以上異なる際、前記周辺部の色温度と前記作業エリアの色温度との差が２０００Ｋ未満となるように、前記アンビエント照明装置を制御して前記周辺部の色温度を変更する
請求項３に記載の照明システム。
【請求項６】
前記タスク照明装置および前記アンビエント照明装置の少なくともいずれかによる照明環境の色温度を読み取るセンサを備え、
前記センサは、読み取った色温度を前記周辺部および前記作業エリアの色温度とし、
前記制御部は、前記読み取った色温度に基づいて、前記タスク照明装置および前記アンビエント照明装置の少なくともいずれかを制御する
請求項１〜５のいずれか１項に記載の照明システム。
【請求項７】
前記制御部は、所定時間ごとに前記タスク照明装置及び前記アンビエント照明装置の少なくともいずれかを制御するタイマーを備える
請求項１〜６のいずれか１項に記載の照明システム。
【発明の詳細な説明】
【技術分野】
【０００１】
本発明は、照明システムに関し、特に、使用者の知的生産性を向上する光環境を実現する照明システムに関する。
【背景技術】
【０００２】
オフィスなどにおける省エネを目的とした照明手法として、タスク＆アンビエント照明方式が注目されている。この照明方式では、執務者の机上面をタスク照明装置で近接した位置から効率よく照明し、執務フロア全体を照明するアンビエント照明装置（主に天井照明装置）を減らすことで省エネが達成される。
【０００３】
また、作業対象物を中心とする作業エリアと周辺とを異なる光色、すなわち、異なる色温度となるように照明し、また、照明環境部に明確な照度勾配（エッジ感）を設けることによって、作業エリアに所望の照度を与えると共に集中度を高める光環境を提供する照明手法が開示されている（例えば、特許文献１参照）。
【先行技術文献】
【特許文献】
【０００４】
【特許文献１】特開２００３−０３１３７９号公報
【発明の概要】
【発明が解決しようとする課題】
【０００５】
しかし、作業エリアと周辺部の光色を異にする照明手法では、これら上記のような照明環境では作業エリアの照射面のエッジ感による集中度向上、または体内リズムの正常化は実現するが、作業エリアと周辺部の光色が大きく異なる場合、使用者に違和感による不快感を与えていた。また、作業エリアの光色として集中度を高めるための好ましい光色が用いられていないため、使用者に違和感による不快感を与え、作業効率を低下させ知的生産性の向上が阻害されていた。
【０００６】
上記課題に鑑み、本発明は、使用者の集中度を高め、知的生産性を向上する照明システムを提供することを目的とする。
【課題を解決するための手段】
【０００７】
上記課題を解決するために、本発明に係る照明システムは、作業対象物を中心とする作業エリアと前記作業エリアの周辺部とが存在する照明環境をもち、前記作業エリアを照射するタスク照明装置と、前記作業エリアと前記周辺部とを含む空間を照射するアンビエント照明装置と、前記タスク照明装置および前記アンビエント照明装置の少なくともいずれかを制御する制御部とを有し、前記制御部は、前記作業エリアの照度が前記周辺部の照度より高く、かつ、前記周辺部の色温度と前記作業エリアの色温度との差が小さくなるように、前記タスク照明装置および前記アンビエント照明装置の少なくともいずれかを制御する。
【０００８】
また、前記制御部は、前記周辺部の色温度の変化に追随して、前記周辺部の色温度と前記作業エリアの色温度との差が小さくなるように、前記タスク照明装置を制御して前記作業エリアの色温度を変更するとしてもよい。
【０００９】
また、前記制御部は、前記作業エリアの色温度の変化に追随して、前記周辺部の色温度と前記作業エリアの色温度との差が小さくなるように、前記アンビエントの照明装置を制御して前記周辺部の色温度を変更するとしてもよい。
【００１０】
また、前記制御部は、前記周辺部の色温度と前記作業エリアの色温度が２０００Ｋ以上異なる際、前記作業エリアの色温度と前記周辺部の色温度との差が２０００Ｋ未満となるように、前記タスク照明装置を制御して前記作業エリアの色温度を変更するとしてもよい。
【００１１】
また、前記制御部は、前記周辺部の色温度と前記作業エリアの色温度が２０００Ｋ以上異なる際、前記周辺部の色温度と前記作業エリアの色温度との差が２０００Ｋ未満となるように、前記アンビエント照明装置を制御して前記周辺部の色温度を変更するとしてもよい。
【００１２】
また、前記タスク照明装置および前記アンビエント照明装置の少なくともいずれかによる照明環境の色温度を読み取るセンサを備え、前記センサは、読み取った色温度を前記周辺部および前記作業エリアの色温度とし、前記制御部は、前記読み取った色温度に基づいて、前記タスク照明装置および前記アンビエント照明装置の少なくともいずれかを制御するとしてもよい。
【００１３】
また、前記制御部は、所定時間ごとに前記タスク照明装置及び前記アンビエント照明装置の少なくともいずれかを制御するタイマーを備えるとしてもよい。
【００１４】
なお、本発明は、照明システムとして実現できるだけでなく、照明システムが備える制御部による制御方法として実現したり、その制御方法をコンピュータに実行させるプログラムとして実現したり、そのプログラムを記録したコンピュータ読み取り可能なＣＤ−ＲＯＭなどの記録媒体として実現したりすることもできる。
【発明の効果】
【００１５】
本発明によれば、使用者の集中度を高め、知的生産性を向上する照明システムを提供することができる。
【図面の簡単な説明】
【００１６】
【図１Ａ】ベース照度に対する集中しやすさを示す図である。
【図１Ｂ】ベース照度に対する光環境の快適さを示す図である。
【図１Ｃ】ベース照度に対する光環境の自然さを示す図である。
【図２】実施の形態に係る照明システムの構成を示すブロック図である。
【図３】実施の形態に係る照明システムの構成を示す概略図である。
【図４】実施の形態に係る照明システムの制御の一例を示す時系列図である。
【発明を実施するための形態】
【００１７】
以下、本発明の実施の形態について、図面を参照しながら説明する。なお、以下に説明する実施の形態は、いずれも本発明の好ましい一具体例を示すものである。したがって、以下の実施の形態で示される数値、形状、材料、構成要素、構成要素の配置位置及び接続形態、工程、工程の順序などは、一例であって本発明を限定する主旨ではない。よって、以下の実施の形態における構成要素のうち、本発明の最上位概念を示す独立請求項に記載されていない構成要素については、任意の構成要素として説明される。
【００１８】
なお、各図は、模式図であり、必ずしも厳密に図示されたものではない。また、各図において、実質的に同一の構成に対しては同一の符号を付しており、重複する説明は省略又は簡略化する。
【００１９】
（実施の形態）
本実施の形態に係る照明システムは、周辺環境の色温度と個人の作業エリアの色温度が同色温度となるように制御するシステムである。周辺環境の色温度をセンシングするために、例えば、外光が入射する窓際やタスク照明装置の上部にセンサ（色温度センサ）を設置している。また、作業エリアの色温度をセンシングするために、作業エリアやデスクスタンドにも色温度センサを設置している。アンビエント照明装置とタスク照明装置及び色温度センサはＰＬＣ（Ｐｏｗｅｒ  Ｌｉｎｅ  Ｃｏｍｍｕｎｉｃａｔｉｏｎｓ）通信やその他の無線通信で制御部と双方向通信を行っている。
【００２０】
はじめに、本実施の形態に係る照明システムを実現するため、光色、照度比、光色比、配光の集中力や空間評価への影響を把握するために行った主観評価実験の結果について説明する。
【００２１】
実験を行った実験の概要は以下のとおりである。
【００２２】
被験者は、３０名であった。
【００２３】
被験者は、１分間タスク（伝票分類）をした後、その印象を主観的に評価した。評価項目としては、（１）読みやすさ、（２）作業面、（３）空間全体、を評価対象とした。
【００２４】
読みやすさは、机上の紙面文字、または、ＰＣ画面文字の読みやすさを評価した。
【００２５】
作業面では、集中度、仕事のはかどり、目の疲労感、明るさ、快適、光環境に対する好き嫌いを評価対象とした。
【００２６】
空間全体については、雰囲気の自然さ、話しやすさ、快適、集中、明るさ、快適、好き嫌いを評価対象とした。
【００２７】
実験パラメータとしては、タスク照明の光色、ベース照明の光色、ベース照明の照度、タスク照明の配光についてそれぞれ異なる条件を用意し、それらの組み合わせにより、全２３の条件の下で評価実験を行った。
【００２８】
タスク照明の光色の条件としては、読光色である５０００Ｋ及び６０００Ｋの２種類の条件とした。
【００２９】
ベース照明の光色としては、３０００Ｋ、５０００Ｋ、６７００Ｋの３種類の条件とした。なお、一部については４２００Ｋとした。
【００３０】
ベース照明の照度については、１００ｌｘ、３００ｌｘ、７５０ｌｘの３種類の条件とした。このとき、作業面は７５０ｌｘに一定となるようにした。すなわち、ベース照度が１００ｌｘとは、アンビエント照明による照度が１００ｌｘでタスク照明による照度が６５０ｌｘの場合である。ベース照度が３００ｌｘとは、アンビエント照明による照度が３００ｌｘでタスク照明による照度が４５０ｌｘの場合である。ベース照度が７５０ｌｘとは、アンビエント照明による照度が７５０ｌｘでありタスク照明による照度が０ｌｘの場合である。ベース照度が無（０ｌｘ）とは、アンビエント照明による照度が無（０ｌｘ）でタスク照明による照度が７５０ｌｘの場合である。
【００３１】
タスク照明の配光は、狭角すなわちＡ３の用紙程度の範囲を照射する配光とした。また、タスク照明の広角は、机一面を照射する角度とした。
【００３２】
以上の条件により行った実験結果は、光環境、特に、タスク照明とアンビエント照明との色温度の相違による（１）集中しやすさ、（２）快適さ、（３）自然さによりまとめた。図１Ａ〜図１Ｃにその結果を示す。
【００３３】
図１Ａは、ベース照度に対する集中しやすさを示す図である。
【００３４】
図１Ａは、タスク照明が狭配光で、机上面中心の照度を７５０ｌｘの一定としている。色温度については、ベース照明（すなわち、アンビエント照明）の色温度を３０００、４２００、５０００、６７００Ｋ、ベース照明無しの５種類、タスク色温度については、５０００、６０００、タスク照明無しの３種類についてそれぞれ評価項目『集中しやすい』について評価している。評価結果は７段階評価とし、縦軸に被験者３０名の平均値を示している。横軸には、（ｉ）タスク照明の色温度５０００Ｋでの、アンビエント照明３００ｌｘ及びタスク照明４５０ｌｘでの結果、アンビエント照明０ｌｘ及びタスク照明７５０ｌｘでの結果、（ｉｉ）タスク照明の色温度６０００Ｋでの、アンビエント照明３００ｌｘ及びタスク照明４５０ｌｘでの結果、アンビエント照明０ｌｘ及びタスク照明７５０ｌｘでの結果、（ｉｉｉ）アンビエント照明７５０ｌｘ及びタスク照明０ｌｘ、での結果、として評価結果を示している。
【００３５】
上記結果から、タスク照明がある場合のほうがタスク照明がない場合に比較して、被験者の『集中しやすい』という評価結果が高いことが分かる。また、タスク照明の色温度としては、６０００Ｋのほうが５０００Ｋよりも評価結果が高いことが分かる。さらに、タスク照明の光色とアンビエント照明の光色とが近いほうが好ましく、タスク照明６０００Ｋと５０００Ｋのいずれについても、アンビエント照明が３０００Ｋの場合には他の光色よりも『集中しやすい』という評価結果が低くなっている。特に、タスク照明の色温度とアンビエント照明の色温度とに２０００Ｋより大きな色温度差がある場合は、評価が低くなっていることが分かる。
【００３６】
すなわち、被験者が『集中しやすい』光環境とは、タスク照明とアンビエント照明を併用し、タスク照明の色温度とアンビエント照明の色温度との色温度差が２０００Ｋ未満であることが好ましいことが分かる。
【００３７】
図１Ｂは、ベース照度に対する光環境の快適さを示す図である。図１Ｃは、ベース照度に対する光環境の自然さを示す図である。
【００３８】
図１Ｂは、上記した集中しやすさの評価実験の実験条件において評価項目『快適な』の７段階評価結果、図１Ｃは、同上の実験において評価項目『自然な』の７段階評価結果を示す。また、図１Ｂ及び図１Ｃのいずれにおいても、タスク照明は狭配光であり、かつ、机上面の照度が７５０ｌｘに一定となるようにアンビエント照明とタスク照明との照度が設定されている。
【００３９】
図１Ｂ及び図１Ｃに示すように、アンビエント照明のみの場合（すなわち、タスク色温度「無」の場合）に、光環境の快適さ及び自然さのいずれについても高い評価が得られている。つまり、光環境が快適である又は自然であるという評価が得られている。
【００４０】
また、タスク照明のみの場合（すなわち、タスク色温度５０００Ｋ及び６０００Ｋのそれぞれにおけるベース照度０ｌｘの場合）に、光環境の快適さ及び自然さのいずれについても低い評価が得られている。つまり、光環境が快適でない又は自然でないという評価が得られている。
【００４１】
さらに、アンビエント照明とタスク照明とが併用される場合（すなわち、タスク色温度５０００Ｋ及び６０００Ｋのそれぞれにおけるベース照度１００ｌｘ又は３００ｌｘの場合）には、色温度により評価に差が現れている。この場合、タスク照明装置による照明とアンビエント照明装置による照明の光色が近い方が高い評価が得られている。つまり、ベース照度が３００ｌｘ（このとき、タスク色温度は４５０ｌｘ）の場合に、光環境の快適さ及び自然さのいずれについても高い評価が得られている。
【００４２】
以上より、タスク照明が狭配光で机上面照度を７５０ｌｘ一定とした場合、違和感を与えること無く快適で、集中度を向上させる光環境としては、タスク照明とアンビエント照明を併用することが好ましいことが分かる。また、タスク照明とアンビエント照明との色温度差が近い方がよく、例えば、色温度差を２０００Ｋ未満とすることが好ましいことが分かる。
【００４３】
次に、本実施の形態に係る照明システム１について、図２及び図３を用いて説明する。図２は、本実施の形態に係る照明システム１の構成を示すブロック図である。図３は、照明システム１の構成を示す概略図である。
【００４４】
図２に示すように、照明システム１は、アンビエント照明装置１０と、タスク照明装置２０と、制御部３０と、照明状態検出センサ４０とを備えている。この構成によれば、照明システム１において、アンビエント照明装置１０とタスク照明装置２０との色温度を調整して、アンビエント照明装置１０とタスク照明装置２０との光色が大きく異なることによる強いエッジ感を低減し、使用者の違和感による不快感を低減することができる。したがって、使用者の集中度を高め知的生産性を向上することができる。
【００４５】
アンビエント照明装置１０は、主に執務フロア全体を照らす照明装置であり、例えば、天井照明装置などである。アンビエント照明装置１０には、例えばＬＥＤが使用される。
【００４６】
タスク照明装置２０は、作業対象物を中心とする作業エリアに所望の照明を与える照明装置であり、例えば、デスク用照明装置などである。
【００４７】
制御部３０は、アンビエント照明装置１０及びタスク照明装置２０の光色、色温度、配光等の照明状態を調整する。制御部３０は、照明状態検出センサ４０により検出された照明状態に基づいて、アンビエント照明装置１０及びタスク照明装置２０の光色、色温度、配光を制御する。このとき、制御部３０は、ＰＬＣ（Ｐｏｗｅｒ  Ｌｉｎｅ  Ｃｏｍｍｕｎｉｃａｔｉｏｎｓ）通信又は無線通信などの通信システムを用いてアンビエント照明装置１０及びタスク照明装置２０を制御する。
【００４８】
照明状態検出センサ４０は、例えば、色彩照度計であり、アンビエント照明装置１０及びタスク照明装置２０による照明環境、例えば、照度、色温度等の照明状態を検出する。照明状態検出センサ４０は、タスク照明装置２０用の照明状態検出センサ４０ａと、アンビエント照明装置１０用の照明状態検出センサ４０ｂとを備えている。照明状態検出センサ４０ｂは、アンビエント照明装置１０付近に設置することで、主にアンビエント照明装置１０の照明状態を検出する。また、照明状態検出センサ４０ａは、タスク照明装置２０付近に設置することで、主にタスク照明装置２０の照明状態を検出する。タスク照明装置２０用の照明状態検出センサ４０ａと、アンビエント照明装置１０用の照明状態検出センサ４０ｂとを備えることで、照明システム１は、正確にアンビエント照明装置１０及びタスク照明装置２０の相互の色温度を認識することができる。
【００４９】
なお、照明状態検出センサ４０ａ及び４０ｂには、それぞれアンビエント照明装置１０及びタスク照明装置２０による照明の影響が含まれてもよい。
【００５０】
図３では、アンビエント照明装置１０及びタスク照明装置２０を制御できる照明システム１を示している。
【００５１】
アンビエント照明装置１０、タスク照明装置２０、照明状態検出センサ４０は、上記したように制御部３０とＰＬＣ通信もしくは無線通信などの通信システムを用いて双方向通信できる状態にある。
【００５２】
例えば、机５０の上に設置されたタスク照明装置２０が、天井に設置されたアンビエント照明装置１０と異なる色温度であっても、照明状態検出センサ４０（照明状態検出センサ４０ａ）がタスク照明装置２０の色温度を検出すると、制御部３０は、照明状態検出センサ４０ａで検出された色温度に合わせてアンビエント照明装置１０の色温度を制御する。具体的には、制御部３０は、作業エリアの光色すなわちタスク照明装置２０による照明状態の変化に合わせて、周辺部の色温度すなわちアンビエント照明装置１０による色温度と作業エリアの色温度すなわちタスク照明装置２０による色温度との差が小さくなるように、アンビエント照明装置１０から出力される色温度を制御する。これにより、作業エリアの光色の変化に応じた、周辺部の光色の制御が可能となる。
【００５３】
このとき、制御部３０は、例えば、アンビエント照明装置１０の色温度とタスク照明装置２０の色温度との色温度差が２０００Ｋ未満の同程度の色温度となるように、アンビエント照明装置１０の色温度を調整する。アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整してもよい。これにより、周辺エリア（アンビエント照明装置１０）の光色の変化に応じて、作業エリア（タスク照明装置２０）の色温度をほぼ同等の色温度とし、違和感のない空間とすることが可能となる。
【００５４】
また、タスク照明装置２０が、アンビエント照明装置１０と異なる色温度であっても、照明状態検出センサ４０（照明状態検出センサ４０ｂ）がアンビエント照明装置１０の色温度を検出すると、制御部３０は、照明状態検出センサ４０ａで検出された色温度に合わせてアンビエント照明装置１０の色温度を制御する。具体的には、制御部３０は、周辺部の光色すなわちアンビエント照明装置２０による照明状態の変化に合わせて、周辺部の色温度すなわちアンビエント照明装置１０による色温度と作業エリアの色温度すなわちタスク照明装置２０による色温度との差が小さくなるように、タスク照明装置２０から出力される色温度を制御する。これにより、周辺部の光色の変化に応じた、作業エリアの光色の制御が可能となる。
【００５５】
このとき、制御部３０は、例えば、アンビエント照明装置１０の色温度とタスク照明装置２０の色温度との色温度差が２０００Ｋ未満の同程度の色温度となるように、タスク照明装置２０の色温度を調整する。アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整してもよい。これにより、作業エリア（タスク照明装置２０）の光色の変化に応じて、周辺部（アンビエント照明装置１０）の色温度をほぼ同等の色温度とし、違和感のない空間とすることが可能となる。
【００５６】
また、ユーザーがタスク照明装置２０およびアンビエント照明装置１０の光色を変更した場合も、同様に２０００Ｋ未満の色温度となるようタスク照明装置２０およびアンビエント照明装置１０の色温度を制御することが可能である。
【００５７】
なお、照明状態検出センサ４０は、アンビエント照明装置１０又はタスク照明装置２０付近に設置されることに限らず、例えば、壁面に設置されてもよい。照明状態検出センサ４０は、壁面に設置されることで、アンビエント照明装置１０及びタスク照明装置２０の両方からの照明状態を検出してもよい。さらに、照明状態検出センサ４０は、アンビエント照明装置１０及びタスク照明装置２０の照明状態に加えて、外光による照明状態を検出してもよい。
【００５８】
また、照明状態検出センサ４０は、１つに限らず複数設置してもよく、上記したようにアンビエント照明装置１０及びタスク照明装置２０それぞれに設置してもよいし、例えば複数のアンビエント照明装置１０またはタスク照明装置２０において共通に使用してもよい。
【００５９】
なお、照明環境を検出できる照明状態検出センサ４０がない場合であっても、同じ制御プログラムとすることで実現可能である。その例を図４に示す。図４は、実施の形態に係る照明システムの制御の一例を示す時系列図である。
【００６０】
図４に示すように、アンビエント照明装置１０の照明の色温度の変化に合わせて、タスク照明装置２０の照明の色温度を変化させるように、制御部３０に制御をさせるための制御プログラムを用意してもよい。制御部３０が制御プログラムを有することで、制御部３０は、正確にアンビエント照明装置１０及びタスク照明装置２０の相互の色温度を認識することが可能である。
【００６１】
図４の（ａ）は、アンビエント照明装置１０の照明の色温度の時系列変化の一例を示す図である。アンビエント照明装置１０の照明は、例えば、自然界及び人体の生活リズムに合うように変化する制御プログラムを用意する。例えば、アンビエント照明装置１０の照明を、時間ｔ１〜ｔ２の期間は５０００Ｋ、時間ｔ２〜ｔ３の期間は３０００Ｋ、時間ｔ３〜ｔ４の期間は６７００Ｋ、時間ｔ４〜ｔ５の期間は２５００Ｋに設定する。
【００６２】
図４の（ｂ）は、タスク照明装置２０の照明の色温度の時系列変化の一例を示す図である。タスク照明装置２０の照明は、アンビエント照明装置１０の色温度と同一の色温度となるように変化する制御プログラムを用意する。これにより、タスク照明装置２０についても、アンビエント照明装置１０と同様人体の生活リズムに合わせて変化させることができ、周辺部と作業エリアを同一の光色により集中しやすさ、快適さ、自然さを保ちつつ、制御することができる。
【００６３】
このとき、制御部３０は、図３に示したように、上記した時間ごとにタスク照明装置２０及びアンビエント照明装置１０の少なくともいずれかを制御するタイマー３２を備えていてもよい。これにより、タスク照明装置２０及びアンビエント照明装置１０を時間ごとに簡便に制御することができる。また、照明環境が一定でない環境においても、常に快適な照明環境を提供することができる。
【００６４】
なお、図４では、アンビエント照明装置１０とタスク照明装置２０の色温度を同一に制御しているが、完全に同一することに限らず、アンビエント照明装置１０とタスク照明装置２０の色温度の差が、たとえば２０００Ｋ未満となるように色温度を適宜変更してもよい。
【００６５】
以上、本実施の形態に係る照明システム１によると、作業の集中に適した照明環境を提供することが可能となる。
【００６６】
なお、上記した実施の形態は一例であり、本発明は上記した実施の形態に限定されるものではない。
【００６７】
例えば、上記した実施の形態では、アンビエント照明装置１０の色温度の調整は、アンビエント照明装置１０が自動で調整してもよいし、アンビエント照明装置１０に設けられた色温度調整ダイアルまたは色温度選択調整ボタン（図示せず）をユーザーが操作することにより、手動で調整することとしてもよい。
【００６８】
また、上記した照明システムにおいて、周辺部（アンビエント照明装置１０）の色温度の変化に合わせて作業エリア（タスク照明装置２０）の色温度を変化させてもよいし、作業エリア（タスク照明装置２０）の色温度の変化に合わせて周辺部（アンビエント照明装置１０）の色温度を変化させてもよい。
【００６９】
また、アンビエント照明装置１０又はタスク照明装置２０の色温度の調整は、あらかじめ設定されたプログラムにより制御されてもよい。
【００７０】
また、センサ４０は、アンビエント照明装置１０又はタスク照明装置２０のそれぞれに設置されてもよいし、共通して設置されてもよい。
【００７１】
以上、本発明の照明システムについて、実施の形態に基づいて説明したが、本発明はこの実施の形態に限定されるものではない。本発明の主旨を逸脱しない限り、当業者が思いつく各種変形を本実施の形態に施したものや、異なる実施の形態における構成要素を組み合わせて得られる形態も本発明の範囲内に含まれる。
【符号の説明】
【００７２】
１  照明システム
１０  アンビエント照明装置
２０  タスク照明装置
３０  制御部
３２  タイマー
４０、４０ａ、４０ｂ  照明状態検出センサ
５０  机
【図１Ａ】
2015022945.tif 000003
【図１Ｂ】
2015022945.tif 000004
【図１Ｃ】
2015022945.tif 000005
【図２】
2015022945.tif 000006
【図３】
2015022945.tif 000007
【図４】
2015022945.tif 000008